(57)【要約】【課題】  効率的かつ経済的に遠方へ風を送ることができる送風ファンおよびそれを用いた扇風機を提供する。【解決手段】  ブレード３が内周円Ｃ１と外周円Ｃ２とで構成され、ブレード３の回転軸１に垂直な方向の断面Ｄが当該ブレード３の内周円Ｃ１および外周円Ｃ２の交点Ｂと、回転軸１の中心とを結ぶ直線Ｌに平行となるように、ブレード３が湾曲している。これにより、ブレード３が、回転によって生じる風を内側へ巻き込むような角度でハブ２に取り付けられた状態となっている。【選択図】          図１
2005133677.tif 000002
【特許請求の範囲】
【請求項１】
回転軸を有するハブと、前記ハブの外周に形成される複数のブレードとを具備し、
前記ブレードが内周円と外周円とを用いて形成され、
前記ブレードの前記回転軸に垂直な方向の断面が、前記内周円および前記外周円の交点と、前記回転軸の中心とを結ぶ直線に平行となるべく、前記ブレードが湾曲していることを特徴とする送風ファン。
【請求項２】
回転軸を有するハブと、前記ハブの外周に形成される複数のブレードとを具備し、
前記ブレードが取付部と翼部とを有し、
前記翼部が内周円と外周円とを用いて形成され、
前記回転軸に垂直な平面に平行に前記取付部が取り付けられ、
前記翼部の前記回転軸に垂直な方向の断面が、前記内周円および前記外周円の交点と、前記回転軸の中心とを結ぶ直線に平行となるべく、前記ブレードが湾曲していることを特徴とする送風ファン。
【請求項３】
請求項１または２記載の送風ファンを備えたことを特徴とする扇風機。
【請求項４】
回転軸を有するハブと、前記ハブの外周に形成される複数のブレードとを有する送風ファンと、
前記ハブに水を供給するための送水装置とを具備し、
前記ブレードが取付部と翼部とを有し、
前記翼部が内周円と外周円とを用いて形成され、
前記回転軸に垂直な平面に平行に前記取付部が取り付けられ、
前記翼部の前記回転軸に垂直な方向の断面が、前記内周円および前記外周円の交点と、前記回転軸の中心とを結ぶ直線に平行となるべく、前記ブレードが湾曲しており、
前記ハブは、前記送水装置からの水をそれぞれの前記ブレードの前面に膜状に広げて供給する吸水部材を具備することを特徴とする扇風機。
【発明の詳細な説明】
【技術分野】
【０００１】
本発明は、涼風を得たり、換気を行う等のための送風ファンおよびそれを用いた扇風機に関する。
【背景技術】
【０００２】
従来より、室内に涼風を取り入れるための様々な扇風機が公知となっている（例えば、特許文献１参照）。特に、最近、冷房、暖房に関わらず、エアコン等の空気調節機器と併せて用い、暖気や冷気を部屋中に循環させることで、より効率的かつ経済的に室内の暖気や冷気を均一にすることができ、より快適な生活を送ることができる扇風機のサーキュレータ的側面が見直されている。
【特許文献１】実用新案登録第３０４１８９３号公報
【発明の開示】
【発明が解決しようとする課題】
【０００３】
しかし、従来の扇風機では、以下のような問題があった。従来の扇風機は、なるべく広い角度に送風するべく送風ファンのブレードの構造が風を送風ファンの外側に向かって拡散するようになっている。このため、サーキュレータ的使用の際に、室内の空気の循環を促すべく、遠くへ風を送ろうとすれば、風量を非常に強くしなければならず効率的ではないという問題があった。そして、これを解決するために、風を送風ファンの中心方向に絞るべく、送風ファンの外周にダクト状の外枠を設けたいわゆるボックス型扇風機も公知となっているが、ダクト状の外枠を設けることは、二次的な対策であるため損失が大きいし、見た目もよくないという問題があった。また、部品コストの増大を招くという問題もあった。
【０００４】
一方、扇風機単体でもより涼しい風を得たいという要望もある。
【０００５】
本発明は、かかる従来技術の問題点を解決するべくなされたもので、効率的かつ経済的に遠方へ風を送ることができる送風ファンおよびそれを用いた扇風機を提供することを第１の目的とする。
【０００６】
また、本発明は、扇風機単体でもより涼しい風を得ることができる扇風機を提供することを第２の目的とする。
【課題を解決するための手段】
【０００７】
本発明に係る送風ファンは、上記第１の目的を達成すべく、回転軸を有するハブと、前記ハブの外周に形成される複数のブレードとを具備し、前記ブレードが内周円と外周円とを用いて形成され、前記ブレードの前記回転軸に垂直な方向の断面が、前記内周円および前記外周円の交点と、前記回転軸の中心とを結ぶ直線に平行となるべく、前記ブレードが湾曲しているものである。
【０００８】
上記構成の送風ファンによれば、複数のブレードが回転軸を有するハブの外周に形成される。
【０００９】
そして、前記ブレードが内周円と外周円とで構成され、ブレードの回転軸に垂直な方向の断面が当該ブレードの内周円の延長線および外周円の延長線の交点と、回転軸の中心とを結ぶ直線に平行となるように、ブレードが湾曲している。これにより、ブレードが、回転によって生じる風を内側へ巻き込むような角度でハブに取り付けられた状態となっている。
【００１０】
したがって、送風ファンが回転することにより、ブレードで生じた風が内側へと巻き込むように流れるため、送風ファンの外周にダクト状の外枠を設けることなく、同じ風量でも効率的に風を遠方へ送ることができる。
【００１１】
また、本発明に係る他の送風ファンは、回転軸を有するハブと、前記ハブの外周に形成される複数のブレードとを具備し、前記ブレードが取付部と翼部とを有し、前記翼部が内周円と外周円とを用いて形成され、前記回転軸に垂直な平面に平行に前記取付部が取り付けられ、前記翼部の前記回転軸に垂直な方向の断面が、前記内周円および前記外周円の交点と、前記回転軸の中心とを結ぶ直線に平行となるべく、前記ブレードが湾曲しているものである。
【００１２】
上記構成のファンによれば、板状の部材から内周円と外周円とを構成要素とするブレードを形成し、当該ブレード上に当該内周円および外周円の交点と、回転軸の中心とを結ぶ直線に平行な線（基準線）を引き、その基準線を境に当該基準線の外側（翼部側）を折り曲げるとともに、折り曲げた翼部の回転軸に垂直な方向の断面が基準線と平行であるように、当該翼部を湾曲させる。これにより、ブレードが、回転軸に対して垂直な平面を有する取付部と、回転によって生じる風を内側へ巻き込むような角度を有する翼部とを有することとなる。
【００１３】
したがって、送風ファンが回転することにより、ブレードで生じた風が内側へと巻き込むように流れるため、送風ファンの外周にダクト状の外枠を設けることなく、同じ風量でも効率的に風を遠方へ送ることができる。
【００１４】
また、本発明に係る扇風機は、上記構成の送風ファンを備えたものである。上述の通り、ダクト状の外枠が不要なため、コストの上昇を押さえることができるとともに、見た目もよくすることができる。
【００１５】
また、本発明に係る扇風機は、上記第２の目的を達成すべく、回転軸を有するハブと、前記ハブの外周に形成される複数のブレードとを有する送風ファンと、前記ハブに水を供給するための送水装置とを具備し、前記ハブは、前記送水装置からの水をそれぞれの前記ブレードの前面に膜状に広げて供給する吸水部材を具備するものである。
【００１６】
上記構成の扇風機によれば、複数のブレードが回転軸を有するハブの外周に形成された送風ファンを有する。そして、送水装置より供給された水は、ハブに備えられた吸水部材により、複数のブレードそれぞれに水を供給するために、水を一時保留する。
【００１７】
送水装置により、ハブの吸水部材へと送られた水は、送風ファンの回転により、遠心力を受け、膜状にブレード面に広がる。この際、ブレード面に広がった膜状の水は、送風ファンの回転により気化が促進される（乾燥する）。そして、膜状の水が気化する際に、ブレードの熱（エネルギー）を気化熱として奪うため、ブレード表面の温度およびブレード近傍の雰囲気の温度が下がり、したがって、送風ファンからより冷たい風が送られることとなる。
【００１８】
このように、ブレード表面に水を膜状に広げることにより、扇風機単体でもより涼しい風を得ることができる。
【００１９】
また、本発明に係る扇風機は、上記第１および第２の目的を同時に達成すべく、前記ブレードが取付部と翼部とを有し、前記翼部が内周円と外周円とを用いて形成され、前記回転軸に垂直な平面に平行に前記取付部が取り付けられ、前記翼部の前記回転軸に垂直な方向の断面が、前記内周円および前記外周円の交点と、前記回転軸の中心とを結ぶ直線に平行となるべく、前記ブレードが湾曲しており、前記ハブは、前記送水装置からの水をそれぞれの前記ブレードの前面に膜状に広げて供給する吸水部材を具備するものである。
【００２０】
上記構成の扇風機によれば、ブレード表面に水を膜状に広げることにより、扇風機単体でもより涼しい風を得ることができ、送風ファンが回転することにより、ブレードで生じた風が内側へと巻き込むように流れるため、送風ファンの外周にダクト状の外枠を設けることなく、同じ風量でも効率的に風を遠方へ送ることができる。また、ブレードの取付部が回転軸に対して垂直に取り付けられることにより、吸水部材からブレードへ膜状の水を伝え易くすることができるため、より効率よく室温を下げることができる。
【発明の効果】
【００２１】
本発明に係る送風ファンおよび扇風機によれば、送風ファンが回転することにより、ブレードで生じた風が内側へと巻き込むように流れるため、送風ファンの外周にダクト状の外枠を設けることなく、同じ風量でも効率的に風を遠方へ送ることができる。
【００２２】
また、本発明に係る扇風機によれば、ブレード表面に水を膜状に広げることにより、扇風機単体でもより涼しい風を得ることができる。
【発明を実施するための最良の形態】
【００２３】
以下、添付図面を参照しつつ、本発明を実施するための最良の形態について説明する。図１は本発明の一実施形態に係る送風ファンを示す図である。図１（ａ）は正面図（回転軸と垂直な方向の前記ブレードの投影面を示す図）であり、図１（ｂ）は図１（ａ）のブレードの１枚を中心とする側面から見たＡ−Ａ部分断面図である。
【００２４】
本実施の形態に係る送風ファン１０は、図１に示すように、回転軸１を有するハブ２と、前記ハブ２の外周に形成される複数のブレード３とを具備し、前記ブレード３が内周円Ｃ１と外周円Ｃ２とを用いて形成され、前記ブレード３の前記回転軸１に垂直な方向の断面Ｄが、前記内周円Ｃ１および前記外周円Ｃ２の交点Ｂと、前記回転軸１の中心とを結ぶ直線Ｌに平行となるべく、前記ブレード３が湾曲しているものである。より具体的には、回転軸１を有するハブ２と、前記ハブ２の外周に形成される複数のブレード３とを具備し、前記ブレード３が取付部３ａと翼部３ｂとを有し、前記翼部３ｂが内周円Ｃ１と外周円Ｃ２とを用いて形成され、前記回転軸１に垂直な平面に平行に前記取付部３ａが取り付けられ、前記翼部３ｂの前記回転軸１に垂直な方向の断面Ｄが、前記内周円Ｃ１および前記外周円Ｃ２の交点Ｂと、前記回転軸１の中心とを結ぶ直線Ｌに平行となるべく、前記ブレード３が湾曲しているものである。
【００２５】
上記構成の送風ファン１０によれば、複数のブレード３が回転軸１を有するハブ２の外周に形成される。図２は図１の送風ファンの切り出し前（湾曲前）の状態を表す図である。本実施形態において、ブレード３は、板状の部材から内周円Ｃ１と外周円Ｃ２とを構成要素とするブレード３を形成し、当該ブレード３上に当該内周円Ｃ１および外周円Ｃ２の交点Ｂと、回転軸１の中心とを結ぶ直線Ｌに平行な線（基準線Ｐ）を引き、その基準線Ｐを境に当該基準線Ｐの外側（翼部３ｂ側）を折り曲げるとともに、折り曲げた翼部３ｂの回転軸１に垂直な方向の断面Ｄが基準線Ｐと平行であるように、当該翼部３ｂを湾曲させる。これにより、ブレード３が、回転軸１に対して垂直な平面を有する取付部３ａと、回転によって生じる風を内側へ巻き込むような角度を有する翼部３ｂとを有することとなる。
【００２６】
ここで、内周円Ｃ１とは、ブレード３の前縁（送風ファン１０が回転するときにブレード３が雰囲気（周囲の空気）を切り始める側）の一部を構成するものであり、外周円Ｃ２とは、ブレード３の後縁（前縁の反対側。すなわち、ブレード３から気流が離れる側）のすべてと前縁の一部（回転により形成される円Ｓｒの円周上にあるブレード端部Ｒおよび交点Ｂ間）を構成するものであって、真円の円弧のみならず、楕円の円弧であってもよい。本実施形態において、内周円Ｃ１および外周円Ｃ２は、図２に示すように、同じ円弧であり、ブレード３の前縁側か後縁側かによって内周円Ｃ１にも外周円Ｃ２にもなる。
【００２７】
本実施形態における内周円Ｃ１および外周円Ｃ２は、図２に示すように、真円の円弧として形成されている。このように、真円の円弧を構成要素としてブレード３を形成することにより、ブレード３の形状を前縁および後縁ともに円弧形状とすることができるため、送風ファン１０回転時における空気抵抗を減少させることができ、風量のロスを最小限にすることができるため、消費電力も少なくすることができる。加えて、円弧形状とすることにより、回転によって生じた風がブレード３の後端部（外周円Ｃ２の最後部）Ｅに集束し易くなり、当該風をより内側へ巻き込ませることができる。
【００２８】
また、本実施形態において、交点Ｂは、図１に示すように、ブレード３の回転方向の先端部と一致していないが、これは、危険防止のために当該先端部をＲ加工しているためである。したがって、内周円Ｃ１および外周円Ｃ２の交点Ｂとは、Ｒ加工前の交点、つまり、図２における内周円Ｃ１および外周円Ｃ２の交点Ｂであり、図１においては、内周円Ｃ１の延長線および外周円Ｃ２の延長線（ともに破線で示す）の交点を指す概念である。
【００２９】
上記構成により、ブレード３で生じた風が内側へと巻き込むように流れるため、送風ファン１０の外周にダクト状の外枠を設けることなく、同じ風量でも効率的に風を遠方へ送ることができる。そして、上記構成の送風ファン１０を備えることにより、ダクト状の外枠が不要なため、コストの上昇を押さえることができるとともに、見た目もよくすることができる。
【００３０】
なお、本実施形態の送風ファン１０を備えた扇風機においても送風ファン１０の外周にダクト状の外枠を取り付けることとしてもよいが、送風ファン１０自体により風を回転軸１の中心に集向させることができるため、ダクトの長さを短くすることができ、扇風機の送風部をより薄く形成することができる。
【００３１】
続いて、本発明の他の実施形態における扇風機について説明する。図３は本発明の他実施形態における扇風機の特徴部分である送風ファン近傍を示す図である。図３（ａ）は、正面図（回転軸と垂直な方向の前記ブレードの投影面を示す図）であり、図３（ｂ）は図１（ａ）のブレードの１枚を中心とする前縁方向（内周円方向）から見た側面図である。送風ファン１０を回転させるモータ部や、スイッチ等を有し、送風ファン１０（モータ部）を支持する本体部、送風ファン１０の回転による怪我防止のための枠体等は、一般的な扇風機に準じるものであり、図３においては、簡単のため、図示を省略している。
【００３２】
本実施形態の扇風機は、上記構成の送風ファン１０と、前記ハブ２に水を供給するための送水装置としてのノズル４とを具備し、前記ハブ２は、前記送水装置としてのノズル４からの水６をそれぞれの前記ブレード３の前面に膜状に広げて供給する吸水部材である吸水性紙５を具備するものである。
【００３３】
上記構成の扇風機によれば、ノズル４へは、扇風機の枠体（図示せず）に取り付けた貯水タンク（図示せず）等から、水６が供給される。そして、ノズル４を通じてハブ２の前面に備えられた吸水部材である吸水性紙５に含浸され、複数のブレード３のそれぞれに水を膜状に供給するために、水６が均等に広げられる。
【００３４】
ノズル４により、ハブ２の吸水部材である吸水性紙５へと送られた水６は、送風ファン１０の回転により、遠心力を受けブレード３の取付部３ａに伝えられる。ブレード３の取付部３ａ上の水は、さらに遠心力により膜状に広がり、ブレード３の翼部３ｂの面上に水の膜を形成すべく広がる（図３の翼部３ｂ上に破線で示す）。この際、翼部３ｂの面上に膜状に広がった水６は、送風ファン１０の回転により気化が促進される（乾燥する）。そして、水６が気化する際に、ブレード３（翼部３ｂ）の熱（エネルギー）を気化熱として奪うため、ブレード３表面の温度が下がるとともに、ブレード３近傍の空気の温度が下がり、したがって、送風ファン１０からより冷たい風が送られることとなる。
【００３５】
このように、ブレード３表面に水６を膜状に広げることにより、扇風機単体でもより涼しい風を得ることができ、冷房時により早く室温を下げることができる。
【００３６】
さらに、本実施形態においては、送風ファン１０を上記構成の送風ファン１０としていることにより、ブレード３で生じた風が内側へと巻き込むように流れるため、送風ファン１０の外周にダクト状の外枠を設けることなく、同じ風量でも効率的に風を遠方へ送ることができる。したがって、より涼しい風をより遠方へ送ることができ、冷房時により早く室温を下げることができる。
【００３７】
なお、ブレード３の材料として、高熱伝導率性を有する金属材料を用いてもよい。これにより、ブレード３上を膜状に広がる水６の気化がより促進され、より効率よく迅速に冷気を送ることができる。
【図面の簡単な説明】
【００３８】
【図１】本発明の一実施形態に係る送風ファンを示す図である。
【図２】図１の送風ファンの切り出し前（湾曲前）の状態を表す図である。
【図３】本発明の他実施形態における扇風機の特徴部分である送風ファン近傍を示す図である。
【符号の説明】
【００３９】
１  回転軸
２  ハブ
３  ブレード
３ａ  取付部
３ｂ  翼部
４  ノズル（送水装置）
５  吸水性紙（吸水部材）
Ｃ１  内周円
Ｃ２  外周円
Ｂ  内周円と外周円との交点
Ｄ  回転軸に垂直な方向のブレード断面
Ｌ  回転軸中心と交点Ｂとを結ぶ直線
【図１】
2005133677.tif 000003
【図２】
2005133677.tif 000004
【図３】
2005133677.tif 000005